(57)【特許請求の範囲】
【請求項１】
太陽電池パネルを載置する様に屋根上に複数平行配置する杆材と、該杆材における太陽電池パネル載置面上の適所に杆材の長手軸線上で起立対向する太陽電池パネルのフレーム端面を当接支持する当止め板を直立させた固定金具とから成り、杆材は、一方の側壁外側面が太陽電池パネル載置面と成る左右一対の凹溝を所定幅の間隙を介して平行に内向配置して成り、固定金具は、当止め板の下端中央に前記一方の側壁端面間より細い軸部を垂設し、該軸部下端には、当止め板と平行に横長に配置され、横幅が左右の凹溝の内向壁間の間隔よりも短くて前記間隙の幅よりも長く、前後幅が前記間隙の幅より短く設定され、少なくとも左右端部が上下に弾性圧縮状態で各凹溝内に介装配置される基底部を設け、該基底部は、前後を開放した前後一対のＶ字板状の弾性体を側面視Ｘ字状に一体形成して成り、基底部の上下端面は側壁の内側面を摺接可能に水平に形成され、基底部の高さを無負荷状態で凹溝の上下間隔より若干高く設定したことを特徴とする太陽電池パネルの取付け架台。
【請求項２】
固定金具において、当止め板の上端前後には、上記フレーム端面の上側縁に掛止する突片を設け、杆材の太陽電池パネル載置面上に当止め板を直立させた状態で、太陽電池パネル載置面から突片までの高さを太陽電池パネルのフレームの高さよりも若干低く設定したことを特徴とする請求項１記載の太陽電池パネルの取付け架台。
【請求項３】
太陽電池パネルを載置する様に屋根上に複数平行配置され、一方の側壁外側面が太陽電池パネル載置面と成る左右一対の凹溝を所定幅の間隙を介して平行に内向配置した杆材における太陽電池パネル載置面上の適所において、杆材の長手軸線上で起立対向する太陽電池パネルのフレーム端面を当接支持する様に当止め板を直立させる固定金具であって、前記当止め板の下端中央に前記一方の側壁端面間より細い軸部を垂設し、該軸部下端には当止め板と平行に横長に配置され、横幅が左右の凹溝の内向壁間の間隔よりも短くて前記間隙の幅よりも長く、前後幅が前記間隙の幅より短く設定され、少なくとも左右端部が上下に弾性圧縮状態で各凹溝内に介装配置される基底部を設け、該基底部は、前後を開放した前後一対のＶ字板状の弾性体を側面視Ｘ字状に一体形成して成り、基底部の上下端面は側壁の内側面を摺接可能に水平に形成され、基底部の高さを無負荷状態で凹溝の上下間隔より若干高く設定したことを特徴とする固定金具。
【請求項４】
固定金具において、当止め板の上端前後には、上記フレーム端面の上側縁に掛止する突片を設け、杆材の太陽電池パネル載置面上に当止め板を直立させた状態で、太陽電池パネル載置面から突片までの高さを太陽電池パネルのフレームの高さよりも若干低く設定したことを特徴とする請求項３記載の固定金具。
【請求項５】
請求項３又は４記載の固定金具の取付け方法であって、固定金具の基底部の横手軸線を杆材の長手軸線に平行となる様にして基底部を杆材上方から上記間隙内へ挿入し、次いで当止め板の転回操作にて基底部を９０度転回して杆材の長手軸線に対し直交させることにより、基底部の左右端部の夫々を各凹溝内にその上下を弾圧する様に介装配置させることを特徴とする固定金具の取付け方法。
【発明の詳細な説明】
【技術分野】
【０００１】
本発明は、太陽電池パネルを取付けるための架台と、該架台に用いる固定金具と、該固定金具の取付け方法に関する。
【背景技術】
【０００２】
特許文献１には、太陽電池パネルを載置する様に屋根上に複数平行配置する杆材と、該杆材における太陽電池パネル載置面上の適所に杆材の長手軸線上で起立対向する太陽電池パネルのフレーム端面を前後面で当接支持する当止め板を直立させた固定金具とから成る太陽電池パネルの取付け架台が開示されている。
【０００３】
この架台における杆材は、一方の側壁外側面が太陽電池パネル載置面と成る左右一対の凹溝を所定幅の間隙を介して平行に内向配置している。
又、固定金具は、当止め板の下端前後に直交突出する摺動板を設けている。
そして、摺動板において当止め板よりも左右に突出した摺動端部を杆材の凹溝にスライド自在に装着し、凹溝適所で上下に貫通螺着したボルトにより摺動板を位置決めし、杆材の長手軸線前後に配置した当止め板間に太陽電池パネルを介装することにより屋根上に架台を介して太陽電池パネルを設置している。
【先行技術文献】
【特許文献】
【０００４】
【特許文献１】特開２００１−２７１４６８号公報
【発明の概要】
【発明が解決しようとする課題】
【０００５】
しかしながら、上記構成の架台では、固定金具を杆材の一端に最初に取付け、その当止め板に太陽電池パネルのフレーム前端面を当接支持した後においては、前記とは真逆の杆材の他端から固定金具の摺動板を凹溝に差し込んで前記太陽電池パネルのフレーム後端面までスライドさせなくてはならず、その作業に手間を要するといった課題を有している。
又、固定金具の杆材への固定には、ボルトを使用しているので、その固定作業中にボルトを取り損ねるなどして屋根から地上へ転げ落とすといった危険を招来している。
【０００６】
そこで、本発明では、固定金具を杆材の所望位置に直接にボルトを使用することもなく簡単容易に固定できる様にした太陽電池パネルの取付け架台と、これに用いる固定金具と、その取付け方法を提供することを目的としている。
【課題を解決するための手段】
【０００７】
上記課題に鑑み、本発明に係る太陽電池パネルの架台は、太陽電池パネルを載置する様に屋根上に複数平行配置する杆材と、該杆材における太陽電池パネル載置面上の適所に杆材の長手軸線上で起立対向する太陽電池パネルのフレーム端面を当接支持する当止め板を直立させた固定金具とから成り、杆材は、一方の側壁外側面が太陽電池パネル載置面と成る左右一対の凹溝を所定幅の間隙を介して平行に内向配置して成り、固定金具は、当止め板の下端中央に前記一方の側壁端面間より細い軸部を垂設し、該軸部下端には、当止め板と平行に横長に配置され、横幅が左右の凹溝の内向壁間の間隔よりも短くて前記間隙の幅よりも長く、前後幅が前記間隙の幅より短く設定され、少なくとも左右端部が上下に弾性圧縮状態で各凹溝内に介装配置される基底部を設け、該基底部は、前後を開放した前後一対のＶ字板状の弾性体を側面視Ｘ字状に一体形成して成り、基底部の上下端面は側壁の内側面を摺接可能に水平に形成され、基底部の高さを無負荷状態で凹溝の上下間隔より若干高く設定したことを特徴とする。
又、本発明に係る太陽電池パネルの架台に用いる固定金具は、太陽電池パネルを載置する様に屋根上に複数平行配置され、一方の側壁外側面が太陽電池パネル載置面と成る左右一対の凹溝を所定幅の間隙を介して平行に内向配置した杆材における太陽電池パネル載置面上の適所において、杆材の長手軸線上で起立対向する太陽電池パネルのフレーム端面を当接支持する様に当止め板を直立させるものであって、前記当止め板の下端中央に前記一方の側壁端面間より細い軸部を垂設し、該軸部下端には当止め板と平行に横長に配置され、横幅が左右の凹溝の内向壁間の間隔よりも短くて前記間隙の幅よりも長く、前後幅が前記間隙の幅より短く設定され、少なくとも左右端部が上下に弾性圧縮状態で各凹溝内に介装配置される基底部を設け、該基底部は、前後を開放した前後一対のＶ字板状の弾性体を側面視Ｘ字状に一体形成して成り、基底部の上下端面は側壁の内側面を摺接可能に水平に形成され、基底部の高さを無負荷状態で凹溝の上下間隔より若干高く設定したことを特徴とする。
更に、固定金具において、当止め板の上端前後には、上記フレーム端面の上側縁に掛止する突片を設け、杆材の太陽電池パネル載置面上に当止め板を直立させた状態で、太陽電池パネル載置面から突片までの高さを太陽電池パネルのフレームの高さよりも若干低く設定したことを特徴とする。
又、本発明に係る固定金具の取付け方法は、固定金具の基底部の横手軸線を杆材の長手軸線に平行となる様にして基底部を杆材上方から上記間隙内へ挿入し、次いで当止め板の転回操作にて基底部を９０度転回して杆材の長手軸線に対し直交させることにより、基底部の左右端部の夫々を各凹溝内にその上下を弾圧する様に介装配置させることを特徴とする。
【発明の効果】
【０００８】
要するに本発明は、太陽電池パネルを載置する様に屋根上に複数平行配置する杆材と、該杆材における太陽電池パネル載置面上の適所に杆材の長手軸線上で起立対向する太陽電池パネルのフレーム端面を当接支持する当止め板を直立させた固定金具とから成る太陽電池パネルの架台において、杆材は、一方の側壁外側面が太陽電池パネル載置面と成る左右一対の凹溝を所定幅の間隙を介して平行に内向配置して成り、固定金具は、当止め板をこれの鉛直な中心軸線を回転軸として転回する時の把手として兼用し、当止め板の下端中央に前記一方の側壁端面間でこの側壁端面間より細くて転回可能な軸部を垂設し、該軸部下端には、当止め板と平行に横長に配置され、横幅が左右の凹溝の内向壁間の間隔よりも短くて前記間隙の幅よりも長く、前後幅が前記間隙の幅より短く設定され、少なくとも左右端部が上下に弾性圧縮状態で各凹溝内に圧入可能と成した基底部を設け、該基底部は、前後を開放した前後一対のＶ字板状の弾性体を側面視Ｘ字状に一体形成して成り、基底部の上下端面は側壁の内側面を摺接可能に水平に形成され、基底部の高さを無負荷状態で凹溝の上下間隔より若干高く設定し、基底部を杆材上方から前記間隙内へ挿入すると共に、当止め板の転回操作にて杆材の長手軸線に対し直交させることにより、基底部の左右端部の夫々が各凹溝内にその上下を弾圧する様に介装配置したので、基底部の左右端部が各凹溝の上下を弾力的に圧接して突っ張りその位置に固定金具を強固に保持でき、従来の様な杆材端部から固定金具の摺動板を差し込んで杆材の所望位置まで固定金具をスライド移動させる手間を省いて、固定金具を杆材の所望位置に直接にボルトや工具を使用することもなく簡単容易に効率的に固定させることができる。
よって本発明によれば、固定金具の杆材への取付けにおいて、ボルトが不要であるからボルトの屋根からの落下による危険を解消でき、しかもボルト不使用による部品点数の低減と、上記の如く固定作業効率の向上とにより、太陽電池パネルの屋根上設置の施工コストを大幅に低減できる。
【０００９】
当止め板の上端前後には、上記フレーム端面の上側縁に掛止する突片を設け、杆材の太陽電池パネル載置面上に当止め板を直立させた状態で、太陽電池パネル載置面から突片までの高さを太陽電池パネルのフレームの高さよりも若干低く設定したので、凹溝内に弾性圧縮状態で圧入された基底部の左右端部の弾性力に抗して突片を上方へ押し上げ、該突片と太陽電池パネル載置面間にフレーム端面が当止め板に当接支持する様にしてフレーム端部を強固に挟持できると共に、基底部の左右端部の弾性力を増大させられ、より一層強固に固定金具をその位置に強固に保持できる等その実用的効果甚だ大である。
【図面の簡単な説明】
【００１０】
【図１】本発明に係る架台を用いて屋根上に太陽電池パネルを設置した一例を示す斜視図である。
【図２】杆材の一端に固定金具を取付けた状態を示す斜視図である。
【図３】杆材と固定金具の斜視図である。
【図４】固定金具の正面と、これを９０度転回して間隙内に基底部を挿入した固定金具と杆材の正面を示す図である。
【図５】間隙内に基底部を平行に挿入した固定金具と杆材の平面図である。
【図６】杆材と固定金具の連結状態を示す平面図である。
【図７】固定直前の太陽電池パネルと架台端部の要部断面図である。
【図８】太陽電池パネルを固定した架台端部の要部平面図である。
【図９】太陽電池パネルを前後で支持する固定金具の取付け途中の状態を示す架台の要部断面図である。
【図１０】図９の平面図である。
【図１１】太陽電池パネルを前後で支持する固定金具の取付け完了状態を示す架台の要部断面図である。
【図１２】図11の平面図である。
【発明を実施するための形態】
【００１１】
以下本発明の実施の一形態例を図面に基づいて説明する。
本発明に係る太陽電池パネルＰの取付け架台１は、太陽電池パネルＰを載置する様に屋根Ｒ（図示例ではスレート葺き）上に複数平行配置する金属製から成る杆材２と、該杆材２における太陽電池パネル載置面2a（以下、単に載置面2aと称する。）上の適所に杆材２の長手軸線上で起立対向する太陽電池パネルＰのフレームPa端面Pbを前後面で当接支持する薄肉な横長方形状の当止め板３を直立させた固定金具４とから構成されている。
尚、屋根Ｒは、図示例のスレート葺き屋根に限定されず、瓦葺き屋根や折板屋根であっても良い。
【００１２】
杆材２は、溝幅の広い凹形溝状の基体2bの左右上端に、一方（上方）の側壁5a外側面が載置面2aと成る左右一対の溝幅の狭い凹溝５を所定幅Ｄの一条の間隙６を介して平行に内向配置している。
【００１３】
又、杆材２（基体2b）底部において、その長手方向の中心線上には所定間隔置きに長穴2cを設け、該長穴2cを通して屋根Ｒの適所には、既存の木ねじＢ（図７、９、11にのみその一部を図示）が打ち込まれ、杆材２が固定される。
尚、杆材２端部において各凹溝５の上方側壁5aの一部を下方へ起曲させた爪片７を設けている。
【００１４】
固定金具４は、押し出し鍛造された一体成形品から成り、当止め板３をこれの鉛直な中心軸線を回転軸として転回する時の把手として兼用し、当止め板３の下端中央に上方側壁5aの端面5b間で転回可能な軸部８を垂設している。
【００１５】
軸部８は、当止め板３と同一肉厚にして、その高さｎを上方側壁5aの肉厚Ｔより若干高く、上方側壁端面5bの間隔Ｄより横幅ｄが若干狭い横長方形板状に形成されている。
【００１６】
軸部８下端には、当止め板３と平行に横長に配置され、横幅d1が左右の凹溝５の内向壁5c間の間隔D1よりも短くて間隙６の幅Ｄよりも長く、前後幅ｗが間隙６の幅Ｄより短く設定され、少なくとも左右端部が上下に弾性圧縮状態で各凹溝５内に圧入可能と成した基底部９を設けている。
【００１７】
基底部９は、前後が開放した前後一対のＶ字板状の弾性体9aを側面視Ｘ字状に一体形成して成り、弾性体9aの上下端面9bは、側壁5aの内側面を摺接可能に水平に形成され、弾性体9a（基底部９）は無負荷状態でその高さｍが凹溝５の上下間隔Ｓより若干高く設定している。
【００１８】
そして、基底部９の横手軸線を杆材２の長手軸線に平行となる様にして基底部９を杆材２上方から間隙６内へ挿入すると共に、当止め板３の転回操作にて杆材２の長手軸線に対し直交させることにより、基底部９の左右端部の夫々が各凹溝内５にその上下を弾圧する様に介装配置され、固定金具４が杆材２に固定される。
【００１９】
又、固定金具４において、当止め板３の上端前後には、太陽電池パネルＰのフレームPaの前後端面Pbの上側縁に掛止する突片3aを設けており、基底部９の左右端部を凹溝内５に上記の如く介装配置して杆材２の載置面2a上に当止め板３を直立させた状態で、載置面2aから突片3aまでの高さｈをフレームPaの高さＨよりも若干低く設定している。
【００２０】
上記の様に構成された架台１は、先ず屋根Ｒの桁行方向Ｘに複数の杆材２を平行配置する。
屋根Ｒへの杆材２の固定は、長穴2cにルーフボルトＢを通してこれを打ち込むことにより成される。
【００２１】
次に各杆材２の軒側端部の同一位置に固定金具４を固定する。
固定金具４の杆材２への固定にあっては、その基底部９の横手軸線を杆材２の（屋根Ｒの流れ方向Ｙに一致した）長手軸線に平行となる様にして基底部９を杆材２上方からその間隙６内へ挿入する（図３〜５参照）。
かかる状態では、軸部８は上方側壁端面5b間でこれらと平行に配置され、基底部９は内向壁５間でこれらと平行に配置されている。
【００２２】
次いで、当止め板３の転回操作にて基底部９（弾性体9a）を９０度転回して杆材２の長手軸線に対し直交させる（図２、６、７参照）。
これにより、基底部９の左右端部の夫々は、その上下端面9bが側壁5aの内側面を摺接しながら各凹溝５内に圧入され、各凹溝５内にその上下を弾圧する様に介装配置される。
【００２３】
かかる状態では、当止め板３はその前後面が屋根Ｒの軒側と棟側に対向する様に杆材２の載置面2a上に直立し、基底部９の左右端部が各凹溝５上下の側壁5aを弾力的に圧接して突っ張り、その位置に固定金具４が強固に固定保持される。
【００２４】
当止め板３の上記直立状態では、載置面2aから突片3aまでの高さｈがフレームPaの高さＨよりも若干低く（図７参照）、このため凹溝５内に弾性圧縮状態で圧入された基底部９の左右端部の弾性力に抗して当止め板３の突片3aを上方へ押し上げながら、該突片3aと載置面2a間にフレームPaの前端部を配することにより、フレーム前端面Pbを当止め板３の後面に当接支持させてフレームPa（太陽電池パネルＰ）の前端部を突片3aと載置面2a間に強固に挟持させる（図８参照）。
【００２５】
かかる状態では、フレームPaが上記の様に挟持されることにより、凹溝５内に存する基底部９（弾性体9a）の左右端部の上下は更に圧縮され、その弾性力を増大させられ、より一層強固に各凹溝５上下の側壁5aを弾力的に圧接して凹溝５内での左右端部の突っ張る力を増大させて固定金具４がその位置により一層強固に保持される。
【００２６】
上記と同様な手法にて杆材２上の太陽電池パネルＰの後端部、及びこれに流れ方向Ｙで前端部が隣接する他の太陽電池パネルＰの前端部を固定金具４でもって杆材２上に固定する。
尚、固定金具４が流れ方向Ｙの前後で隣接する太陽電池パネルＰの後端部と前端部を挟持する場合には、以下の手法にて取付けても良い。
【００２７】
即ち、図９、10に示す様に、杆材２に固定金具４を取り付けるための転回途中（杆材２の長手軸線に対し４５度）で前方の突片3aの右端を前方の太陽電池パネルＰのフレームPa後端面Pbの上側縁に掛止し、後方の突片3aの左端を後方の太陽電池パネルＰのフレームPa前端面Pbの上側縁に掛止する。
【００２８】
かかる状態では、基底部９（弾性体9a）の左右端部の一部が凹溝５に配置されているだけのため、基端部９を杆材２の長手軸線に対し直交させた時よりもその弾性力が弱く、比較的容易に突片3aを上方へ押し上げてフレームPaの前後端面Pbの上側縁に掛止できる。
【００２９】
そして、最後部の太陽電池パネルＰのフレームPa後端部を棟側から軒側へ向かって押圧することにより、太陽電池パネルＰを軒側へ向かって杆材２上を摺接する様に前進させると共に、転回途中の当止め板３（固定金具４）を杆材２の長手軸線に対し直交する様に転回させ、図11、12に示す様に、流れ方向Ｙの前後で隣接する太陽電池パネルＰのフレームPa前後端面Pbを当止め板３の前後面が当接支持すると共に、その前後の太陽電池パネルＰのフレームPa前後端面Pbの上側縁を前後の突片3aが下方へ圧接して杆材２上に固定させる。
【００３０】
最後に最後部の太陽電池パネルＰのフレームPa後端部を別途固定金具４を用いて上述の軒側で固定した場合と同様な手法にて杆材２上に固定することで、架台１を介した太陽電池パネルＰの屋根Ｒ上への設置が完了する。
【符号の説明】
【００３１】
２  杆材
2a  （太陽電池パネル）載置面
３  当止め板
3a  突片
４  固定金具
５  凹溝
5a  側壁
5b  （側壁）端面
5c  内向壁
６  間隙
８  軸部
９  基底部
Ｄ  所定幅
D1  間隔
d1  横幅
Ｈ  高さ
ｈ  高さ
Ｐ  太陽電池パネル
Pa  フレーム
Pb  （フレーム）端面
Ｒ  屋根
ｗ  前後幅
【図１】
0006554427.tif 000002
【図２】
0006554427.tif 000003
【図３】
0006554427.tif 000004
【図４】
0006554427.tif 000005
【図５】
0006554427.tif 000006
【図６】
0006554427.tif 000007
【図７】
0006554427.tif 000008
【図８】
0006554427.tif 000009
【図９】
0006554427.tif 000010
【図１０】
0006554427.tif 000011
【図１１】
0006554427.tif 000012
【図１２】
0006554427.tif 000013